(57)【要約】【課題】廃棄物処分場等の下地に敷設する遮水シートの敷設方法にかかわり、詳しくはすでに敷設した遮水シートの上に廃棄物がある状態で、その他の部分に新規遮水シートを敷設する作業に用いられる敷設方法を提供することができる。【解決手段】一部の遮水シート５が敷設済みの状態で他の箇所の遮水シートの敷設作業を行う遮水シートの敷設方法であり、敷設済み遮水シート５と下地との間に袋体を配設し、袋体内に流動体を送り込むことで袋体上の遮水シート５を持ち上げて堰止部Ｓを形成し、該堰止部Ｓによって敷設済み遮水シート上の廃棄物からの汚水が流出しないようにした状態で新規遮水シートを敷設する。【選択図】図１
2009056359.tif 000002
【特許請求の範囲】
【請求項１】
下地に遮水シートを敷設して、廃棄物からの汚水が下地中に含浸しないようにする廃棄物処分場であって、一部の遮水シートが敷設済みの状態で他の箇所の遮水シートの敷設作業を行う遮水シートの敷設方法において、敷設済み遮水シートと下地との間に袋体を配設し、袋体内に流動体を送り込むことで袋体上の遮水シートを持ち上げて堰止部を形成し、該堰止部によって敷設済み遮水シート上の廃棄物からの汚水が流出しないようにした状態で新規遮水シートを敷設することを特徴とする遮水シートの敷設方法。
【請求項２】
既設遮水シートを敷設した後、袋体内の流動体をぬきとることで堰止部を除去することを特徴とする請求項１記載の遮水シートの敷設方法。
【発明の詳細な説明】
【技術分野】
【０００１】
本発明は、廃棄物処分場等の下地に敷設する遮水シートの敷設方法にかかわり、詳しくはすでに敷設した遮水シートの上に廃棄物がある状態で、その他の部分に新規遮水シートを敷設する作業に用いられる敷設方法に関するものである。
【背景技術】
【０００２】
従来、廃棄物処分場などの有害物質や汚濁液が下地に浸出して公共の水域や地下水もしくは土壌を汚染しないように必要に応じて遮水工を設けなければならない。遮水工の一つとして表面遮水工があり、それは、一般に地下の透水係数が大きく、汚濁液などが地下に浸出しやすい場合に施される遮水工である。表面遮水工は法面と底面からなる下地全体を遮水膜で覆ってしまう工法で、遮水膜の材料としては、ゴムやその他のエラストマーからなるシート工法が挙げられる。例えば、特許文献１にも開示されているようなものである。
【０００３】
また、特許文献２には遮水シートと下地との間に緩衝材を介在させて遮水シートを上方に持ち上げた状態で使用することが開示されている。緩衝材にて遮水シートを持ち上げることで、遮水シートの温度変化による収縮・膨張によるずれの発生や、廃棄物の重量で遮水シートごと沈下して遮水シートが底部側へ引き込まれるといった遮水シートの動きを吸収することができる。
【０００４】
さらに特許文献３には、底面と法面からなる廃棄物処分場などの下地に敷設した遮水シートをうち法面に敷設したシートの法肩部において、遮水シートと下地との間にエアバッグを介在して敷設しており、底面に廃棄物が堆積していくことで底面の遮水シートが沈み込み法面の遮水シートが引っ張られることや、温度変化による熱収縮・熱膨張の影響で遮水シートが引っ張られる影響を緩和して破断してしまうなどの問題につながらないようにする目的でエアバッグ内の空気を出し入れ調節するといった技術が開示されている。
【０００５】
【特許文献１】特開平８−２８１２３６号公報
【特許文献２】特開平６−１１９７号公報
【特許文献３】特開平８−２２９５２９号公報
【発明の開示】
【発明が解決しようとする課題】
【０００６】
上記のような廃棄物処分場において、広大な下地に遮水シートを順次敷設していく場合や、一度廃棄物処分場として使用を開始した後に、面積と容積を大きくするために新たにひろげた下地に今までの部分と同様に遮水シートを敷設する場合、今まである遮水シートと増設した下地との境界において、すでに廃棄された廃棄物からの汚水が、遮水シートを敷設する前の新規な下地側に流れ込まないよう堰を形成する必要がある。従来は遮水シートの端部に土嚢を積んで堰を形成するといった方法を採っていたが、多くの土嚢を必要な長さ全域にわたって配置することになるが、土嚢の数も多くなり水漏れのないように隙間なく配置して堰を形成する必要があるので作業的には大変なものであった。
【０００７】
そこで本発明では今までにあった遮水シートの敷設領域を処分場として使用しながら、さらに延長拡大するような作業を行う際に、遮水シートの端部全域に隙間なく土嚢を積みあげる必要がなく、簡単に水の流れを堰き止めることができて堰を除去する作業もきわめて簡単に行うができる遮水シートの敷設方法を提供することを目的とする。
【課題を解決するための手段】
【０００８】
以上のような目的を達成するために本発明の請求項１では下地に遮水シートを敷設して、廃棄物からの汚水が下地中に含浸しないようにする廃棄物処分場であって、一部の遮水シートが敷設済みの状態で他の箇所の遮水シートの敷設作業を行う遮水シートの敷設方法において、敷設済み遮水シートと下地との間に袋体を配設し、袋体内に流動体を送り込むことで袋体上の遮水シートを持ち上げて堰止部を形成し、該堰止部によって敷設済み遮水シート上の廃棄物からの汚水が流出しないようにした状態で新規遮水シートを敷設することを特徴とする。
【０００９】
また請求項２では、既設遮水シートを敷設した後、袋体内の流動体をぬきとることで堰止部を除去するとしている。
【発明の効果】
【００１０】
遮水シートと下地との間に配置した袋体に空気などの流動体を送り込んで膨らませ遮水シートを持ち上げることで堰止部としていることから、堰止部を形成したり不要になった堰止部を除去する作業は袋体への空気の出し入れで行うことができ、きわめて簡単に行うことができる。また、堰止部を形成する必要のある箇所すべてに隙間なく袋体を配置しなくても、ある程度の間隔をもって配置した袋体同士の間を遮水シートの保形性によって連続の堰止部を形成することができるので、汚水の漏れ出す心配のない堰止部とすることができる。
【００１１】
請求項２によると、袋体内の流動体を抜き取ることで堰止部を除去することとなっており、簡単に堰止部の除去を行うことができる。
【発明を実施するための最良の形態】
【００１２】
図１及び図２は遮水シートが敷設された廃棄物処分場の例を示しており、１は廃棄物処分場で、わずかに傾斜を有する底面２と、該底面２から最上部方向へ向かって延びる斜面となった三方向の法面３とからなっており、下流側の一方をコンクリート遮水壁４で囲われた地形にあって、底面２と法面３の全面に遮水シート５が敷設されて投棄された廃棄物からの汚水が下地中へ浸出しないようにすることで廃棄物処分場として用いるものである。
【００１３】
コンクリート遮水壁４を挟んで処分場１の外側には水処理施設６が設置されており、処分場１内に溜まった水を排水通路７を通じて回収して水質を検査し、必要に応じて水処理がなされて排水するようになっている。
【００１４】
以上のように遮水シートを敷設した廃棄物処分場において、処分場の容積を増加させるために処分場の敷地を広げるような場合や、広大な処分場の場合に一部にのみ遮水シートを敷設して処分場として稼動させ、残りの敷地にシートの敷設作業を引き続き行うような場合、敷設を完了した遮水シートの端部位置に一時的に堰止部を作って、廃棄物が廃棄されている既設部分に溜まった水が、遮水シートを敷設していない箇所に流れ出さないようにする必要がある。
【００１５】
図１は処分場１の半分に遮水シート５を敷設した既設部分Ｋを設けて該既設部分Ｋを処分場として稼動させながら、残りの未設部分Ｍにおける遮水シート５の敷設作業を継続するケースを示している。図１中においてＳで示されるのが堰止部であり、既設部分Ｋの未設部分Ｍとの境界付近において堰止部Ｓを形成している。そうすることによって既設部分Ｋに廃棄物の廃棄を開始して汚水が発生した場合でも堰止部Ｓに遮られて未設部分Ｍには汚水が流れ込まず、汚水を漏水してしまうという問題を防止することができるとともに、未設部分Ｍでの遮水シートの敷設作業を継続することができる。
【００１６】
この未設部分Ｍに遮水シート５を敷設する作業であるが、堰止部Ｓを図１のように約半分の位置に形成して、半分を処分場として使用しながら、残りの半分の敷設作業を行って残り半分の敷設作業が完了してから堰止部Ｓを取り除いて全体を処分場１として使用開始する方法でもよいし、既設部分Ｋの遮水シート５の端部に新たな遮水シート５を接続して延長し、それまでの堰止部Ｓを取り除いて延長した遮水シート５の端部付近に新たな堰止部Ｓを形成するという一連の作業を繰り返し、処分場１として使用する既設部分Ｋの領域を徐々に広げていく方法を採ってもかまわない。
【００１７】
本発明において、前記水が流れ出すのを止めるための堰を作るのに、次のような方法を採用することを特徴としている。敷設済みの遮水シートの端部付近において、敷設済み遮水シートと下地との間に袋体を配設し、袋体内に流動体を送り込むことで袋体上の遮水シートを持ち上げて堰止部を形成できるようにしている。そうすることによって、該堰止部によって敷設済み遮水シート上の廃棄物からの汚水が流出しないようにした状態で新規遮水シートを敷設することができるようになる。
【００１８】
具体的な箇所としては図１に示すように、既設部分Ｋの遮水シート５とこれから遮水シートを敷設しようとしている未設部分Ｍの境界における既設部分Ｋの端部付近であり、その遮水シート５と下地との間に図３のようにチューブまたはホース状の袋体８を図４のように配置している。このように遮水シート５と下地との間に袋体８を配置して袋体８内に空気などを封入することで図５のように袋体８が膨らんで遮水シート５が持ち上がって堰止部Ｓを形成し、遮水シート５上の水を未設部分Ｍへ流出させるのを防止することができる。更に言えば水は水処理設備側へ誘導して排水することが可能である。
【００１９】
この袋体８は、遮水シート５の端部において遮水シート５を持ち上げて堰止部Ｓを形成する必要のある必ずしも全領域に連続的に配置する必要はなく、袋体８がなくても隣接する袋体８によって持ち上げられることで遮水シート５の剛性によって堰止部Ｓが連続的に形成されるのであれば、袋体８は不連続に間隔を置いて配置してもよい。
【００２０】
このように既設部分Ｋの遮水シート５の端部付近に堰止部Ｓを形成することによって、既設部分Ｋへ廃棄物を廃棄して汚水が発生したとしても、前記堰止部Ｓの存在により汚水は遮水シート５を敷設していない未設部分Ｍへ流れ出すことがなく、既設部分Ｋを処分場として使用することができるとともに未設部分Ｍの遮水シート敷設作業を継続することができる。
【００２１】
本発明で用いられる袋体８は、例えば、クロロプレンゴム、ブチルゴムなどからなるタイヤチューブ状のようなものを開環状にして長くしたようなゴム製のものや、ポリエチレン、ポリプロピレンなどの樹脂製のものや、樹脂やゴムなどで非通気性の処理を施した織布製のホース状物などを用いることができる。形態はホース状の内部の気室が連続したものに限らず図６に示すような所定間隔で気室が独立しているものでもよい。気室をいくつかに独立させる場合には、一つの気室に穴が開いて（パンクして）しまっても他の気室によって遮水シートを持ち上げるという所定の効果を得ることができるので、より安全性が高いメリットがある。
【００２２】
その他にも、図７に示すようにホース状の袋体を２本並べて使ったり様々な形態を採ることが可能である。尚、それぞれの気室には内部に空気などを注入し、または排出するためのホース９およびバルブ１０が取り付けられている。ポンプなどを用いて注入することで袋体８を膨らませて堰止部Ｓを形成し、逆に排出することで堰止部Ｓを取り除くことになる。
【００２３】
また本発明に用いられる上記遮水シート５は、エチレン・プロピレン・ジエンモノマー（ＥＰＤＭ）、ブチルゴム、あるいはエチレン・プロピレン・ジエンモノマー（ＥＰＤＭ）とブチルゴムのブレンド物などの加硫ゴムシート、塩化ビニル、ポリウレタン、ポリエチレン、ポリプロピレン、エチレン−酢酸ビニル共重合体のようなポリオレフィン樹脂をシート状にしたもの、これらの樹脂に部分架橋もしくは完全架橋させたモノオレフィン系共重合ゴムをブレンドして柔軟性、耐熱性そして反撥弾性を付与したものがある。また、モノオレフィン系共重合ゴムとポリオレフィンプラスチックとをあらかじめ動的に熱処理して部分架橋させた熱可塑性エラストマーに密度０．９１０−０．９５０ｇ／ｃｍ３のエチレン重合体を混合してシート状に成形した防水シートがある。この種の遮水シートは引張強度、引裂強度、破断伸びなどにおいて優れた物性値を有するだけでなく、接着性及び柔軟性に飛んでいるために接着施工が容易であり、しかも耐候性に優れているために土木工事用として好適である。これらのなかでも耐候性に優れるとともに寸法安定性、機械的特性にも優れるエチレン・プロピレン・ジエンモノマーもしくは熱可塑性ポリウレタンを用いることが好ましい。
【００２４】
熱可塑性ポリウレタンは、ポリエステルタイプでもポリエーテルタイプでも使用することができるが、耐加水分解性が大きく、低温でも柔軟性が大きく、そして微生物による分解に対する耐性が高いポリエーテルタイプの熱可塑性ウレタンが遮水シートとして用いるには好ましい。また、これらの熱可塑性ポリウレタンには紫外線吸収剤、酸化防止剤、カーボンブラックなどが必要に応じて所要量添加されている。
【００２５】
それ以外に、図８に示すように底面２と法面３に敷設された遮水シート５の上側には、遮水シート３の損傷を防止するために保護材Ｈが全面あるいは局部的に敷設配置されていてもよい。遮水シート３と保護材との界面には、プライマーからなる接着剤が部分的、あるいは全面に介在し、法面３における保護材Ｈのずれを防止している。更に、全体の中でも最も衝撃力を受けやすい底面部には保護土(図示しない)を置くことによって、投棄された廃棄物の重量にも耐えるようにすることができる。
【００２６】
上記保護材Ｈは、図９に示すように、耐候性に優れるエチレン・プロピレン・ジエンモノマー、ブチルゴム、エチレン・プロピレン・ジエンモノマーとブチルゴムのブレンド物、あるいは塩化ビニル、ポリエチレン、ポリウレタン、エチレン酢酸ビニル共重合体からなる遮水シート５の上に帆布や不織布などからなる補強材１１をゴムシート１２などと積層したものである。
【産業上の利用可能性】
【００２７】
廃棄物処分場等の下地に敷設する遮水シートの敷設方法にかかわり、すでに敷設した遮水シートの上に廃棄物がある状態で、その他の部分に新規遮水シートを敷設する作業に利用することができる。
【図面の簡単な説明】
【００２８】
【図１】廃棄物処分場の平面図である。
【図２】廃棄物処分場の断面図である。
【図３】袋体の例を示す正面図である。
【図４】袋体を配置したところの断面図である。
【図５】袋体を膨らませたところの断面図である。
【図６】袋体の別の例を示す正面図である。
【図７】袋体の別の配置を示す断面図である。
【図８】遮水シート上に保護材を配置したところの断面図である。
【図９】保護材の構成を示す断面図である。
【符号の説明】
【００２９】
１    廃棄物処分場
２    底面
３    法面
４    コンクリート遮水壁
５    遮水シート
６    水処理施設
７    排水通路
８    袋体
Ｋ    既設部分
Ｍ    未設部分
Ｓ    堰止部
Ｈ    保護材
【図１】
2009056359.tif 000003
【図２】
2009056359.tif 000004
【図３】
2009056359.tif 000005
【図４】
2009056359.tif 000006
【図５】
2009056359.tif 000007
【図６】
2009056359.tif 000008
【図７】
2009056359.tif 000009
【図８】
2009056359.tif 000010
【図９】
2009056359.tif 000011